(57)【要約】【課題】  バンド部品により操作部材の保護と操作部材を時刻表示面方向から見えないようにし、デザインバリエーションの拡大が図れる時計ケースの構造を提供する。【解決手段】  時計の時計ケースと、該時計ケースの側壁に回転自在に取付けられたバンド部品とよりなる時計ケースの構造において、時計ケースの側壁に時刻調整等を行う操作部材と、バンド長手方向先端で時計ケースの両側壁に回転自在に取付けるための足と該足の間で時計ケースの表面と接する回転規制部とからなるバンド部品で構成され、バンド部品の回転規制部によりバンド部品の操作部材方向への回転規制をし、バンド部品で操作部材を覆い、操作部材の保護と操作部材が時刻表示面方向から見えないようにしたことを特徴とする。【選択図】    図１
2006242614.tif 000002
【特許請求の範囲】
【請求項１】
時計の時計ケースと、該時計ケースの側壁に回転自在に取付けられたバンド部品とよりなる時計ケースの構造において、
前記時計ケースの側壁に時刻調整等を行う操作部材と、バンド長手方向先端で前記時計ケースの両側壁に回転自在に取付けるための足と該足の間で前記時計ケースの表面と接する回転規制部とからなる前記バンド部品で構成され、前記バンド部品の前記回転規制部により前記バンド部品の前記操作部材方向への回転規制をし、前記バンド部品で前記操作部材を覆い、前記操作部材の保護と前記操作部材が時刻表示面方向から見えないようにしたことを特徴とする時計ケースの構造。
【請求項２】
前記操作部材は、前記時計ケースの側壁に少なくとも１つで、且つ、前記側壁全周の任意の箇所に配置されていることを特徴とする請求項１に記載の時計ケースの構造。
【請求項３】
前記時計ケースの側壁には、複数の段付きのネジ孔が設けられていることを特徴とする請求項１に記載の時計ケースの構造。
【請求項４】
前記段付きのネジ孔の段部には、座金が配設され、前記ネジ孔に連結ネジを螺合させ、該連結ネジの頭部で前記座金を前記段部に固定させ、前記座金の外面が前記時計ケースの側壁より僅かに突出していることを特徴とする請求項１または請求項３に記載の時計ケースの構造。
【請求項５】
前記時計ケースの両側壁に回転自在に取付けられた前記足は、その先端部でバンド短手方向に貫通する孔が設けられていることを特徴とする請求項１に記載の時計ケースの構造。
【請求項６】
前記連結ネジの頭部には、前記足の孔が回転自在に取付けられ、前記足の先端部が前記座金の外面と接するように回転することを特徴とする請求項１、請求項４、請求項５のいずれかに記載の時計ケースの構造。
【請求項７】
前記座金外径Ａと前記足に設けられた孔内径Ｂと前記連結ネジの頭部外径Ｃとの関係が、
Ａ＞Ｂ＞Ｃ
であることを特徴とする請求項１、請求項４から請求項６のいずれかに記載の時計ケースの構造。
【請求項８】
前記回転規制部は、裏面に前記操作部材を収納する収納逃げ部を有し、前記回転規制部裏面の先端が前記時計ケース表面外周の一部に接し、前記バンド部品が前記操作部材方向への回転規制していることを特徴とする請求項１から請求項７のいずれかに記載の時計ケースの構造。
【請求項９】
前記回転規制部の裏面は、バンド長手方向先端に向かって薄くなる傾斜面を有し、前記回転規制部の表面と風防ガラス表面とがほぼ同一面となっていることを特徴とする請求項１から請求項７のいずれかに記載の時計ケースの構造。
【請求項１０】
前記足の裏面には、前記操作部材を収納する収納逃げ部を有していることを特徴とする請求項１から請求項７のいずれかに記載の時計ケースの構造。
【請求項１１】
前記バンド部品は、バングルバンド、ハーフバングルバンド、バンド駒、バンド先カンの中の少なくとも１つからなることを特徴とする請求項１から請求項１０のいずれかに記
載の時計ケース構造。
【発明の詳細な説明】
【技術分野】
【０００１】
本発明は、時計の時計ケースにバンド部品が回転自在に取付けられ、且つ、このバンド部品により操作部材が表示面側から見えないようにした時計ケースの構造に関するものである。
【背景技術】
【０００２】
従来の腕時計の時計ケースは、胴部材の互いに対抗する辺に一対のバンド取付部を突設したものが普通の型であるが、この種の時計ケースにおいては、バンド取付部に時計バンドを取り付け手首に装着した場合、手首は、ほぼ楕円形状であるため完全にフィットしない欠点があり、この欠点を除去するためにバンド取付部を手首側に湾曲させる等、種々改良が行われているが、人によって手首の太さや、腕時計の装着位置などが異なるためその曲率を一律に決めることには問題があった。
【０００３】
そこで、この問題を解決し、胴部材のバンド長手方向が長いものや、携帯者の手首が細い人に対し、時計が携帯者の手首にフィット出来るようにするため、時計機構を内蔵する胴部材の略中央（側壁）に、回動自在に枢着されたバンド部材を設けた時計ケースの例が開示されている（例えば、特許文献１参照。）。
【０００４】
図１４に示すように時計用の時計ケースは時計機構を内蔵する胴部材１０と、胴部材１０の略中央部に小ネジ１７、１８によって回転自在に枢着されているバンド取付部材１３、１４とを備えている。胴部材１０は、その両側面中央部に突設した一対の突出部３０を有し、両突出部３０には穿設した一対の小孔３１、３２が設けられている。バンド取付部材１３、１４の一端両側には前記突出部３０と対応して突設した突起部３３、３４が設けられており、該突起部３３、３４には貫通穿設した螺旋孔３５、３６が設けられている。さらに、バンド取付部材１３、１４には突起部３３、３４に隣接して穿設した係合凹部３７、３８が設けられており、該係合凹部３７、３８に突起部３０を各々遊嵌せしめて該取付部材１３、１４の回動角度を胴部材１０の水平面に対して上下に所定の角度範囲に回動規制するようになっている。
【０００５】
バンド取付部材１３、１４を胴部材１０に枢着するには、一対の突出部３０をバンド取付部材１３、１４の突起部３３、３４に当接すると共に係合凹部３７、３８に遊嵌し、螺旋孔３５、３６を小孔３１、３２に対応せしめ、小ネジ１７、１８を螺旋孔３５、３６に螺挿して小孔３１、３２に嵌挿する。これによって、バンド取付部１３、１４は小ネジ１７、１８を軸に胴部材１０の水平面に対して上下に所定の角度範囲で揺動することができる。したがって、この腕時計はバンド取付部１３、１４に取り付けられた時計バンド（図示せず）の長さを調節して手首に装着した場合、バンド取付部１３、１４は小ネジ１７、１８を軸として手首の曲率に応じて自由に揺動する。これによって手首にフィットさせることができるようになっている。
【０００６】
【特許文献１】特開昭５１−１１６２号公報（第２頁、図１−２）
【発明の開示】
【発明が解決しようとする課題】
【０００７】
しかしながら、この従来の腕時計の時計ケースにおいては、操作部材（リューズ、プッシュボタン等）に関する開示が一切なく、操作部材がどのように設けられているのか不明である。前述の特許文献１に記載されている図を見ると、胴部材１０の側壁はバンド取付部材１３、１４が覆っており、胴部材１０の側壁に操作部材を設けることは不可能である
。
【０００８】
また、バンド取付部材１３、１４の回動規制をするため、バンド取付部材１３、１４に、突起部３３、３４と、この突起部３３、３４に連続して係合凹部３７、３８とが設けられ、胴部材１０には、両側中央部に突出部３０が設けられている。このため、バンド取付部材１３、１４及び胴部材１０の形状が複雑で、加工負荷が大きく、コストアップとなるという問題があった。
また、胴部材１０にバンド取付部材１３、１４を回動自在に取付けるため、胴部材１０の小孔３１、３２に小ネジ１７、１８を嵌挿して固定しているので、バンド取付部材の回動により小ネジ１７、１８が小孔３１、３２から外れることがあった。
【０００９】
（発明の目的）
本発明は、上記の問題点を解決し、バンド部品により操作部材の保護と操作部材を時刻表示面方向から見えないようにし、デザインバリエーションの拡大が図れる時計ケースの構造を提供することを目的とする。また、簡単な構造で時計ケースとバンド部品との連結を確実なものとし、且つ、時計ケースとバンドが一体風に見せることができる時計ケースの構造を提供することを目的とする。
【課題を解決するための手段】
【００１０】
上記目的を達成するための本発明の時計ケースの構造は、時計の時計ケースと、該時計ケースの側壁に回転自在に取付けられたバンド部品とよりなる時計ケースの構造において、  時計ケースの側壁に時刻調整等を行う操作部材と、バンド長手方向先端で時計ケースの両側壁に回転自在に取付けるための足と該足の間で時計ケースの表面と接する回転規制部とからなるバンド部品で構成され、バンド部品の回転規制部によりバンド部品の操作部材方向への回転規制をし、バンド部品で操作部材を覆い、操作部材の保護と操作部材が時刻表示面方向から見えないようにしたことを特徴とする。
【００１１】
また、操作部材は、時計ケースの側壁に少なくとも１つで、且つ、側壁全周の任意の箇所に配置されていることを特徴とする。
【００１２】
また、時計ケースの側壁には、複数の段付きのネジ孔が設けられていることを特徴とする。
【００１３】
また、段付きのネジ孔の段部には、座金が配設され、ネジ孔に連結ネジを螺合させ、該連結ネジの頭部で座金を段部に固定させ、座金の外面が時計ケースの側壁より僅かに突出していることを特徴とする。
【００１４】
また、時計ケースの両側壁に回転自在に取付けられた足は、その先端部でバンド短手方向に貫通する孔が設けられていることを特徴とする。
【００１５】
また、連結ネジの頭部には、足の孔が回転自在に取付けられ、足の先端部が座金の外面と接するように回転することを特徴とする。
【００１６】
また、座金外径Ａと足に設けられた孔内径Ｂと連結ネジの頭部外径Ｃとの関係が、Ａ＞Ｂ＞Ｃであることを特徴とする。
【００１７】
また、回転規制部は、裏面に操作部材を収納する収納逃げ部を有し、回転規制部裏面の先端が時計ケース表面外周の一部に接し、バンド部品が操作部材方向への回転規制していることを特徴とする。
【００１８】
また、回転規制部の裏面は、バンド長手方向先端に向かって薄くなる傾斜面を有し、回転規制部の表面と風防ガラス表面とがほぼ同一面となっていることを特徴とする。
【００１９】
また、足の裏面には、操作部材を収納する収納逃げ部を有していることを特徴とする。
【００２０】
また、バンド部品は、バングルバンド、ハーフバングルバンド、バンド駒、バンド先カンの中の少なくとも１つからなることを特徴とする。
【発明の効果】
【００２１】
以上のように本発明の時計ケースの構造によれば、バンド部品の回転規制により、操作部材を保護することができると共に、バンド部品により操作部材を見えないようにすることができ、デザインバリエーションの拡大が図れる。さらに、時計ケース上面外周にバンド部品が接するので、時計ケースとバンドが一体風に見せることができる。
また、簡単な構造で時計ケースとバンド部品との連結を確実なものにできるので、安価に製造することができ、その上、機能面で信頼性の高い製品を提供することができる。
【発明を実施するための最良の形態】
【００２２】
以下、本発明を用いた好適な実施の形態について図１から図１３に基づいて説明する。図１から図７は実施例１における時計ケースの構造を示す図、図８、図９は実施例２における時計ケースの構造を示す図、図１０から図１３は実施例３における時計ケースの構造を示す図である。本実施形態における時計ケースの構造は、時計の時計ケースと、時計ケースの側壁に時刻調整等を行う操作部材と、時計ケースの側壁に回転自在に取付けられたバンド部品とを備え、バンド部品は、バンド長手方向先端で時計ケースの両側壁に回転自在に取付けるための一対の足と、一対の足の間で時計ケースの表面と接する回転規制部とを有し、回転規制部によりバンド部品の操作部材方向への回転規制をし、バンド部品で操作部材を覆い、操作部材の保護と操作部材が時刻表示面方向から見えないようにしたことを特徴としている。以下、具体的実施例について図に基づいて詳述する。
【実施例１】
【００２３】
実施例１における時計ケースの構造について図１から図７に基づいて説明する。図１は実施例１における時計ケースの構造の平面図、図２は、実施例１における時計ケースの構造を示す側面図、図３は図１におけるＡ−Ａ断面図、図４は図３におけるＢ−Ｂ断面図、図５は実施例１における座金を示す図、図６は実施例１における時計ケースを示し、図６（ａ）は平面図、図６（ｂ）は図６（ａ）のＤ−Ｄ断面図、図６（ｃ）は、側面図、図７は実施例１におけるバンド部材を示し、図７（ａ）は平面図、図７（ｂ）は図７（ａ）のＥ−Ｅ断面図である。
【００２４】
図１、図２、図３に示すように本実施例における時計ケースの構造は、時計の時計ケース１と、時計ケース１の１２時方向の側壁に設ける時刻調整等を行う操作部材としてのリューズ２０と、時計ケース１の３時、９時方向の両側壁２１、２２の略中央部に回転支点となる連結ネジ５１によってに回転自在に取付けられたバンド部品４１、４２とを備えている。さらに、バンド部品４１、４２は、バンド長手方向先端で時計ケース１の両側壁２１、２２に回転自在に取付けるための一対の足４３、４４と、一対の足４３、４４との間でバンド部品４１、４２のリューズ２０方向への回転規制をするための回転規制部４７、４８を設け、回転規制部４８によって、リューズ２０を覆い、リューズ２０の保護とリューズ２０が時刻表示面方向から見えないようになっている。
【００２５】
時計ケース１は、図１及び図６に示すように、矩形形状をなし、胴部材４の内部にモジュール２を収容し、このモジュール２の表側に時刻を表示するための文字板３を設け、モジュール２に設けられた二重軸構成の針軸５を文字板３に貫通させて、この針軸５の外軸
に時針７を、内軸に分針６をそれぞれ取り付け、胴部材４の底側に裏蓋８を装着し、胴部材４の表側に風防ガラス９を装着して大略構成されている。また、胴部材４の周部である時計ケース１の側壁には１２時方向に位置させて時刻調整等を行う操作部材であるリューズ２０が設けてあり、時計ケース１の３時方向と９時方向との両側壁２１、２２には、それぞれ一対の段付きのネジ孔２５、２６が設けてある。また、時計ケース１の１２時方向と６時方向とには、後述するバンド部品４１、４２の回転規制部４７、４８の受け面となる上斜面２３、２４が設けられている。
【００２６】
また、バンド部品４１、４２は、図１、２及び図７に示すように、バングルバンドからなり、バンド長手方向先端で時計ケース１の３時、９時方向の両側壁２１、２２に回転自在に取付けるための足４３、４４と、該足４３、４４の間に回転規制部４７、４８とを備えている。この回転規制部４７、４８の裏面側はバンド長手方向先端に向かって薄くなる傾斜面４７ａ、４８ａを有する。傾斜面４８ａは、リューズ２０を収納する収納逃げ部を形成するものであるが、これについては後述する。また、足４３、４４は、その先端部でバンド短手方向に貫通する孔４５、４６が設けられている。この孔４５、４６に連結ネジ５１の頭部が遊合され、連結ネジ５１を回転支点としてバンド部品４１、４２が回転自在に取り付けられる。
【００２７】
バンド部品４１、４２を時計ケース１に取り付けるには、バンド部品４１、４２の足４３、４４に設ける孔４５、４６をケース１の両側壁２１、２２に設ける段付きのネジ孔２５、２６に対応させて配置し、連結ネジ５１を孔４５、４６に挿通し、段付きのネジ孔２５、２６に螺合し固定する。この連結ネジ５１を段付きのネジ孔２５に螺合した状態を図４に示す。図４に示すように、段付きのネジ孔２５は、段部２５ａと雌ネジ部２５ｂとからなり、連結ネジ５１は、ネジが形成されていない頭部５１ａと雄ネジ部５１ｂとからなる。連結ネジ５１の雄ネジ部５１ｂは、段付きのネジ孔２５の段部２５ａに座金５２を介して段付きのネジ孔２５の雌ネジ部２５ｂに螺合される。尚、段付きのネジ孔２６については詳細を図示していないが、同様に連結ネジ５１の雄ネジ部５１ｂが座金５２を介して段付きのネジ孔２６の雌ネジ部に螺合される。
【００２８】
座金５２は、図４、図５に示すように一方の面が足４３の足内面４３ａに接すると共に連結ネジ５１の頭部５１ａが当接される座金外面５２ａで、他方の面が段付きのネジ孔２５の段部２５ａに当接される座金内面５２ｂである。この座金５２を連結ネジ５１の頭部５１ａで段部２５ａに固定させ、座金５２の外面５２ａが時計ケース１の側壁２１より僅かに突出するように、各部の寸法を設定する。また、座金５２の外径Ａと、足４３に設けられた孔４５の内径Ｂと、連結ネジ５１の頭部５１ａの外径Ｃとの関係が、Ａ＞Ｂ＞Ｃとなるように各部の寸法を設定する。これによって、連結ネジ５１の頭部５１ａにバンド部品４１の足４３の孔４５が回転自在に取付けられ、足４３の先端部が座金５２の外面５２ａと接するように回転する。また、足４４については、足４３と同様にして回転自在に取付けられるが、これについては説明を省略する。
【００２９】
また、図３に示すように時計ケース１に取り付けられたバンド部品４２の回転規制部４８の裏面側にはバンド長手方向先端に向かって薄くなる傾斜面４８ａが形成されている。この傾斜面４８ａの先端が時計ケース１の上斜面２４の一部と接することにより、バンド部品４２のリューズ２０方向への回転を規制すると共に、リューズ２０を収納する収納逃げ部を形成するものである。このリューズ２０の収納逃げ部は回転規制部４８の傾斜面４８ａと、足４４によって包囲された空間を形成し、時計ケース１の時刻表示面側からリューズ２０が見えないようになっている。また、回転規制部４８の表面４８ｂと風防ガラス９の表面９ａとは、ほぼ同一面となるように各部の寸法が設定されている。また、バンド部品４１についても同様に回転規制部４７の裏面側にはバンド長手方向先端に向かって薄くなる傾斜面４７ａが形成されており、この傾斜面の先端が時計ケース１の上斜面２３の
一部と接することにより、バンド部品４１の回転を規制するようになっている。また、回転規制部４７の表面４７ｂと風防ガラス９の表面９ａとが、ほぼ同一面となるように各部の寸法が設定されている。
【００３０】
以上のように実施例１における時計ケースの構造によれば、バンド部品４２の回転位置を規制することにより操作部材であるリューズ２０を保護することができると共に、バンド部品４１、４２によりリューズ２０を見えないようにすることができ、デザインバリエーションの拡大が図れる。さらに、時計ケース１の上面２３、２４の外周にバンド部品４１、４２が接するので、時計ケース１とバングルバンドとを一体風に見せることができる。さらに簡単な構造で時計ケース１とバンド部品４１、４２との連結を確実なものにでき、安価に製造することができる。その上、機能面で信頼性の高い時計ケースの構造を得ることができる。
【実施例２】
【００３１】
実施例２における時計ケースの構造について図８、図９を用いて説明する。図８は実施例２における時計ケースの構造を示す側面図（一部断面を含む）、図９は、本実施例の他の例を示す側面図（一部断面を含む）である。実施例２における時計ケースの構造は、操作部材を時計ケースの４時方向に設けた例であり、その他は実施例１と同様である。したがって、同一の構成要素の説明は省略する。
【００３２】
図８に示すように本実施例における時計ケースの構造は、時計ケース１の４時方向の側壁に操作部材としてのプッシュボタン４０が設けられている。また、バンド部品４１の足４３の裏面４３ｂには、プッシュボタン４０に対応する位置に裏面４３ｂ側から上方に向かって延びる収納逃げ部を形成する切欠部４９が設けられている。この収納逃げ部である切欠部４９によって、プッシュボタン４０を覆い、プッシュボタン４０を保護すると共にプッシュボタン４０が時刻表示面方向から見えないようにすることがてきる。また、時計ケース１の１２時方向の側壁には操作部材としてのリューズ２０が設けられており、実施例１と同様にバンド部品４２の回転位置を規制することによりリューズ２０を保護することができると共に、リューズ２０が見えないようになっている。その他の構成については実施例１における時計ケースの構造と同様であるため説明を省略する。
【００３３】
以上のように本実施例の時計ケースの構造によれば、複数の操作部材をそれぞれ異なる位置に配置した場合においても、これら複数の操作部材を保護すると共に時刻表示面方向から見えないようにすることができる。また、１２時、４時方向に限らず任意位置に操作部材を複数配置し時刻表示面方向から見えないようにすることができるため、時計の多機能化にも対応しデザインバリエーションの拡大を図ることができる。
尚、図９は、時計ケース１の４時方向の側壁に操作部材としてのプッシュボタン４０に替えてリューズ２０を配置し、このリューズ２０を保護すると共に時刻表示面方向から見えないようにするために、収納逃げ部としての切欠部４９を設けた例を示したものである。尚、１２時方向の側壁には操作部材を設けていない。このように、本実施例の時計ケースの構造によれば、時計ケース１の側壁全周の任意の箇所に操作部材を配置させることができる。
【実施例３】
【００３４】
実施例３における時計ケースの構造について図１０から図１３を用いて説明する。図１０は実施例３における時計ケースの構造を示す平面図、図１１は図１０におけるＦ−Ｆ断面図、図１２は図１０におけるＡ部の部分拡大断面図、図１３は実施例３における座金を示す図である。実施例３における時計ケースの構造は、時計ケースの形状が円形形状の例であり、基本的な構成は実施例１と同様である。
【００３５】
図１０、図１１に示すように本実施例における時計ケースの構造は、時計の時計ケース５０と、時計ケース５０の６時方向の側壁に設ける時刻調整等を行う操作部材としてのリューズ２０と、時計ケース５０の３時、９時方向の両側壁８１、８２の略中央部に回転支点となる連結ネジ７１によってに回転自在に取付けられたバンド部品６１、６２とを備えている。さらに、バンド部品６１、６２のリューズ２０方向への回転規制をするために、バンド部品６１、６２に回転規制部６７、６８を設け、回転規制部６８によって、リューズ２０を覆いリューズ２０の収納逃げ部を形成し、リューズ２０の保護とリューズ２０が時刻表示面方向から見えないようにしている。
【００３６】
時計ケース５０は、円形形状をなす点で、矩形形状をなす実施例１における時計ケース１と異なるが、その他の構成は、ほぼ同様であるため説明を省略する。時計ケース５０の胴部材７４の周部である時計ケース５０の側壁には６時方向に位置させて時刻調整等を行う操作部材であるリューズ２０が設けてあり、時計ケース５０の３時方向と９時方向との両側壁８１、８２には、それぞれ一対の段付きのネジ孔８５、８６が設けてある。また、時計ケース５０の１２時方向と６時方向とには、後述するバンド部品６１、６２の回転規制部６７、６８の受け面となる上斜面８３、８４が設けられている。
【００３７】
また、バンド部品６１、６２は、バンド先カンであり、バンド長手方向先端で時計ケース５０の３時、９時方向の両側壁８１、８２に回転自在に取付けるための足６３、６４と、該足６３、６４の間に回転規制部６７、６８とを備えている。この回転規制部６７、６８の裏面側はバンド長手方向先端に向かって薄くなる傾斜面６７ａ、６８ａを有する。傾斜面６７ａは、リューズ２０を収納する収納逃げ部を形成するものであるが、これについては後述する。また、足６３、６４は、その先端部でバンド短手方向に貫通する孔６５、６６が設けられている。この孔６５、６６に連結ネジ７１の頭部が遊合され、連結ネジ７１を回転支点としてバンド部品６１、６２が回転自在に取り付けられる。
【００３８】
バンド部品６１、６２を時計ケース５０に取り付けるには、バンド部品６１、６２の足６３、６４に設ける孔６５、６６を、ケース５０の側壁８１、８２に設ける段付きのネジ孔８５、８６に対応させて配置し、連結ネジ７１を孔６５、６６に挿通し、段付きのネジ孔８５、８６に螺合し固定する。この連結ネジ７１を段付きのネジ孔８５に螺合した状態を図１２に示す。図１２に示すように、段付きのネジ孔８５は、段部８５ａと雌ネジ部８５ｂとからなり、連結ネジ７１は、ネジが形成されていない頭部７１ａと雄ネジ部７１ｂとからなる。連結ネジ７１の雄ネジ部７１ｂは、ネジ孔８５の段部８５ａに座金７２を介して段付きのネジ孔８５の雌ネジ部８５ｂに螺合される。尚、段付きのネジ孔８６については詳細を図示していないが、同様に連結ネジ７１の雄ネジ部７１ｂが座金７２を介して段付きのネジ孔８６の雌ネジ部に螺合される。
【００３９】
座金７２には、図１２、図１３に示すように足６３の足内面６３ａに接する座金外面７２ａと、段付きのネジ孔８５の段部８５ａに当接される座金内面７２ｂと、連結ネジ７１の頭部７１ａが当接される座金段部７２ｃとが形成されている。座金外面７２ａは曲面形状からなる足６３の足内面６３ａの曲率と略等しい曲率の球面形状に形成されている。この座金７２を連結ネジ７１の頭部７１ａで段付きのネジ孔８５の段部８５ａに固定させ、座金５２の座金外面７２ａが時計ケース５０の側壁８２より僅かに突出するように、各部の寸法を設定する。また、座金７２の外径Ａと、足６３に設けられた孔６５の内径Ｂと、連結ネジ７１の頭部７１ａの外径Ｃとの関係が、Ａ＞Ｂ＞Ｃとなるように各部の寸法を設定する。これによって、連結ネジ７１の頭部７１ａにバンド部品の足６３の孔６５が回転自在に取付けられ、足６３の先端部が座金７２の外面７２ａと接するように回転する。尚、足６４については、足６３と同様にして回転自在に取付けられるが、これについては説明を省略する。
【００４０】
また、図１１に示すように時計ケース５０に取り付けられたバンド部品６１の回転規制部６７の裏面側にはバンド長手方向先端に向かって薄くなる傾斜面６７ａが形成されている。この傾斜面６７ａの先端が時計ケース５０の上斜面８３の一部と接することにより、バンド部品６１のリューズ２０方向への回転を規制すると共に、リューズ２０を収納する収納逃げ部を形成するものである。このリューズ２０の収納逃げ部は回転規制部６７の傾斜面６７ａと、足６３によって包囲された空間を形成し、時計ケース５０の時刻表示面側からリューズ２０が見えないようになっている。また、回転規制部６７の表面６７ｂと風防ガラス９の表面９ａとは、ほぼ同一面となるように各部の寸法が設定されている。バンド部品６２についても同様に回転規制部６８の裏面側にはバンド長手方向先端に向かって薄くなる傾斜面６８ａが形成されており、この傾斜面６８ａの先端が時計ケース５０の上斜面８４の一部と接することにより、バンド部品６２の回転を規制するようになっている。また、回転規制部６８の表面６８ｂと風防ガラス９の表面９ａとが、ほぼ同一面となるように各部の寸法が設定されている。
【００４１】
以上のように実施例３における時計ケースの構造によればバンド部品６１、６２の回転位置を規制することにより、実施例１と同様に操作部材であるリューズ２０を保護することができると共に、バンド部品６１、６２によりリューズ２０を見えないようにすることができ、デザインバリエーションの拡大が図れる。また、時計ケース５０の上斜面８３、８４の外周にバンド部品６１、６２が接するので、時計ケース５０とバンドとを一体風に見せることができる。さらに簡単な構造で時計ケース５０とバンド部品６１、６２との連結を確実なものにでき、安価に製造することができる。その上、機能面で信頼性の高い時計ケースの構造を得ることができる。
【００４２】
実施例においては、バンド部品をバングルバンド、バンド先カンを例として説明したが、これに限定されるものではなく、この他にバンド部品をハーフバングルバンド、バンド駒とした場合においも同様の効果を得ることができる。
また、操作部材については、一個の時計ケースに１個または２個の操作部材をを設けた例で説明したが、これに限定されるものではなく、２個以上の多数の操作部材を設ける場合においても同様の効果を得ることができる。
【図面の簡単な説明】
【００４３】
【図１】本発明の実施例１における時計ケースの構造を示す平面図である。
【図２】本発明の実施例１における時計ケースの構造を示す側面図である。
【図３】図１におけるＡ−Ａ断面図である。
【図４】図３におけるＢ−Ｂ断面図である。
【図５】本発明の実施例１における座金を示す図である。
【図６】本発明の実施例１における時計ケースを示し、図６（ａ）は平面図、図６（ｂ）は図６（ａ）のＤ−Ｄ断面図、図６（ｃ）は、側面図である。
【図７】本発明の実施例１におけるバンド部材を示し、図７（ａ）は平面図、図７（ｂ）は図７（ａ）のＥ−Ｅ断面図である。
【図８】本発明の実施例２における時計ケースの構造を示す側面図（一部断面図を含む）である。
【図９】本発明の実施例２における時計ケースの構造の他の例を示す側面図（一部断面図を含む）である。
【図１０】本発明の実施例３における時計ケースの構造を示す平面図である。
【図１１】図１０におけるＦ−Ｆ断面図である。
【図１２】図１０におけるＡ部の部分拡大断面図である。
【図１３】本発明の実施例３における座金を示す図である。
【図１４】従来技術における時計ケースの構造を示す分解斜視図である。
【符号の説明】
【００４４】
１、５０  時計ケース
２  モジュール
３  文字板
４、７４  胴部材
５  針軸
６  分針
７  時針
８  裏蓋
９  風防ガラス
９ａ  風防ガラスの表面
２０  リューズ
２１、２２、８１、８２  時計ケースの側壁
２３、２４、８３、８４  時計ケースの上斜面
２５、２６  ８５、８６  段付きのネジ孔
２５ａ  ８５ａ  段部
２５ｂ  ８５ｂ  雌ネジ部
４０  プッシュボタン
４１、４２、６１、６２  バンド部品
４３、４４、６３、６４  足
４５、４６、６５、６６  貫通する孔
４７、４８、６７、６８  回転規制部
４７ａ、４８ａ、６７ａ、６８ａ  回転規制部の傾斜面
４７ｂ、４８ｂ、６７ｂ、６８ｂ  回転規制部の表面
４９  切欠部
５１、７１  連結ネジ
５１ａ、７１ａ  頭部
５１ｂ、７１ｂ  雄ネジ部
５２、７２  座金
５２ａ、７２ａ  座金の外面
５２ｂ、７２ｂ  座金の内面
７２ｃ  座金の段部
【図１】
2006242614.tif 000003
【図２】
2006242614.tif 000004
【図３】
2006242614.tif 000005
【図４】
2006242614.tif 000006
【図５】
2006242614.tif 000007
【図６】
2006242614.tif 000008
【図７】
2006242614.tif 000009
【図８】
2006242614.tif 000010
【図９】
2006242614.tif 000011
【図１０】
2006242614.tif 000012
【図１１】
2006242614.tif 000013
【図１２】
2006242614.tif 000014
【図１３】
2006242614.tif 000015
【図１４】
2006242614.tif 000016